(57)【特許請求の範囲】
【請求項１】
隣接して整列配置された複数のフランジ付容器群の全頂面を覆いうる頂板部と、頂板部の周縁に下方に折り曲げ可能に連設された側板部とからなり、前記頂板部と側板部との接続部位に、対応位置の容器のフランジの一部を嵌合する嵌合部がスリットにより形成され、また、頂板部には、隣接する容器のフランジに対応する位置に、下方に押されて折り込まれ前記容器のフランジの下面に掛止する折込掛止片が連結部を残してスリットにより区画されて形成されたフランジ付容器の保持具において、
前記折込掛止片における前記連結部の左右の対向辺は、前記折込掛止片を下方に押し込んだときに、前記容器のフランジの下面との間に隙間が空くように左右端部に向かって傾斜しており、この傾斜する左右の前記対向辺の外側端部に、隣接する前記容器のフランジの下面に掛止する略円弧状の突状からなる掛止部が前記容器のフランジの下面に向かって突出するようにそれぞれ１個宛設けられていることを特徴とするフランジ付容器の保持具。
【請求項２】
前記略円弧状の突状からなる掛止部の円弧のＲは、０．３ｍｍ〜５．０ｍｍであることを特徴とする請求項１に記載のフランジ付容器の保持具。
【発明の詳細な説明】
【技術分野】
【０００１】
本発明は、容器本体にジャム、アイスクリーム、プリン等の内容物が収容され、前記容器本体の開口部の上端外周に外向きにフランジを有し、前記容器本体の開口部がアルミ箔等の如きシール部材の接着、巻き締め等で密封されているフランジ付容器の複数個を一群として隣接させて整列させ、その一群を一括して保持するフランジ付容器の保持具に関する。
【背景技術】
【０００２】
従来のこの種のフランジ付容器の保持具として、隣接して整列配置された複数のフランジ付容器群の全頂面を覆いうる頂板部と、頂板部の周縁に下方に折り曲げ可能に連設された側板部とからなり、頂板部と側板部との接続部位に、対応位置の容器のフランジの一部を嵌合する嵌合部がスリットにより形成され、また、頂板部には、隣接する容器のフランジに対応する位置に、下方に折り込まれて容器のフランジの下面に掛止する折込掛止片が連結部を残してスリットにより区画されて形成されたフランジ付容器の保持具がある。
【０００３】
前記折込掛止片にあっては、折込時に容器のフランジの下面に対向する連結部の左右の対向辺が、容器のフランジと略平行となっており、左右の対向辺の縁部が容器のフランジの下面に掛止するようになっている（例えば、特許文献１参照。）。
【先行技術文献】
【特許文献】
【０００４】
【特許文献１】特許第３３０５９７１号特許公報
【発明の概要】
【発明が解決しようとする課題】
【０００５】
このようなフランジ付き容器の保持具では、頂板部に形成された折込掛止片の、折込時に容器のフランジの下面に対向する連結部の左右の対向辺が、容器のフランジと略平行となっており、左右の対向辺の縁部が容器のフランジの下面に掛止するようになっているので、容器を保持するために折込掛止片を下方に押して折り込んで、左右の対向辺の縁部を左右に隣接する容器のフランジの下面に掛止させる際、フランジの下面に接触する折込掛止片の対向辺の縁部が線接触となり接触面積が広く、そのため摩擦抵抗が大きいことから、対向辺の縁部をフランジの下面に掛止させるため折込掛止片を押し込む時に過分な力を要することになり、押し込み難く容器の保持作業を面倒なものとし、また、保持されている容器を取り外す際も取り外し難いといった問題があった。
【０００６】
また、容器本体の開口部をシールするシール部材には、開封を容易にするために舌片状の摘み片が延設されているものがあるが、この摘み片が折込掛止片の対向辺の縁部を掛止させる位置に存在していた場合、折込掛止片を押し込むには一層の力を要し、そして、不完全な掛止の場合は、摘み片の弾性で折込掛止片が押し戻され、フランジの下面から外れてしまう場合があるといった問題があった。
【０００７】
本発明の目的は、容器を保持する作業や、保持されている容器の取り外しを容易に行えるようにするとともに、容器の確実な保持が図れるようにしたフランジ付容器の保持具を提供することにある。
【課題を解決するための手段】
【０００８】
上記の目的を達成するために、請求項１に記載の発明は、隣接して整列配置された複数のフランジ付容器群の全頂面を覆いうる頂板部と、頂板部の周縁に下方に折り曲げ可能に連設された側板部とからなり、前記頂板部と側板部との接続部位に、対応位置の容器のフランジの一部を嵌合する嵌合部がスリットにより形成され、また、頂板部には、隣接する容器のフランジに対応する位置に、下方に押されて折り込まれ前記容器のフランジの下面に掛止する折込掛止片が連結部を残してスリットにより区画されて形成されたフランジ付容器の保持具において、前記折込掛止片における前記連結部の左右の対向辺は、前記折込掛止片を下方に押し込んだときに、前記容器のフランジの下面との間に隙間が空くように左右端部に向かって傾斜しており、この傾斜する左右の前記対向辺の外側端部に、隣接する前記容器のフランジの下面に掛止する略円弧状の突状からなる掛止部が前記容器のフランジの下面に向かって突出するようにそれぞれ１個宛設けられていることを特徴とする。
【０００９】
請求項２に記載の発明は、請求項１に記載の、前記略円弧状の突状からなる掛止部の円弧のＲは、０．３ｍｍ〜５．０ｍｍであることを特徴とする。
【発明の効果】
【００１１】
請求項１に記載のフランジ付容器の保持具によれば、折込掛止片における連結部の左右の対向辺は、折込掛止片を下方に押し込んだときに、容器のフランジの下面との間に隙間が空くように左右端部に向かって傾斜しており、この傾斜する左右の対向辺の外側端部に、隣接する容器のフランジの下面に掛止する略円弧状の突状からなる掛止部が容器のフランジの下面に向かって突出するようにそれぞれ１個宛設けられているので、容器を保持するために折込掛止片を下方に押して折り込んだときの、折込掛止片の左右の対向辺に有する略円弧状の突状の掛止部とフランジの下面との接触は点接触となり接触面積が小さく、そのため摩擦抵抗も小さいことから、折込掛止片を押し込む時に過分な力を要することなく押し込むことができるので容器の保持作業を容易に行うことができ、また、保持されている容器の取り外しも容易に行うことができる。
また、折込掛止片の左右の対向辺に有する突状の掛止部とフランジの下面との接触面積が小さいので、折込掛止片の左右の対向辺に有する突状の掛止部をフランジの下面に掛止させたとき、掛止部がフランジの下面に食い込む作用が働き、例えば、容器の開口部をシールするシール部材に延設された摘み片があり、この摘み片が折込掛止片の左右の対向辺に有する突状の掛止部を掛止させる位置に存在していたとしても、摘み片上に掛止した折込掛止片の左右の対向辺に有する突状の掛止部が不完全であっても、摘み片の弾性で折込掛止片が押し戻され、フランジの下面から外れてしまうことはなく、容器の確実な保持が図れる。
また、容器のフランジの下面に掛止する略円弧状の突状からなる掛止部は、傾斜する左右の前記対向辺の外側端部に容器のフランジの下面に向かって突出するようにそれぞれ１個宛設けられているので、容器を保持するために折込掛止片を下方に押して折り込んだときに掛止部を、容器のフランジの最内周側まで移動させてフランジに掛止させることができることになり、容器の確実な保持が図れる。
【００１２】
また、前記折込掛止片の前記左右の対向辺に有する突状の掛止部が略円弧状であるので、折込掛止片の左右の対向辺に有する突状の掛止部とフランジの下面との接触は点接触となり、摩擦抵抗もより小さいことから、容器の保持作業を一層容易に行うことができ、また、保持されている容器の取り外しも一層容易に行うことができる。
また、掛止部がフランジの下面に食い込む作用が大きく、摘み片上に掛止した折込掛止片の左右の対向辺に有する突状の掛止部の掛止が不完全であっても、容器の一層確実な保持が図れる。
【００１３】
さらに、前記折込掛止片の前記左右の対向辺に有する掛止部が、それぞれ左右の対向辺の外側端部に設けられているので、容器を保持するために折込掛止片を下方に押して折り込んだときの、折込掛止片の左右の対向辺に有する突状の掛止部を、容器のフランジの最内周側まで移動させてフランジに掛止させることができることになり、容器の確実な保持が図れる。
【図面の簡単な説明】
【００１４】
【図１】本発明に係るフランジ付容器の保持具を実施するための形態の第１例を示す平面図である。
【図２】第１例のフランジ付容器の保持具でフランジ付容器を保持した状態を示す斜視図である。
【図３】第１例のＸ−Ｘ線断面図である。
【図４】第１例の変形例を示す説明図である。
【図５】本発明に係るフランジ付容器の保持具を実施するための形態の参考例を示す要部平面図である。
【図６】参考例のフランジ付容器の保持具でフランジ付容器を保持した状態を示す断面図である。
【図７】本発明に係るフランジ付容器の保持具を実施するための形態の第２例を示す要部平面図である。
【図８】第１例，第２例及び参考例で保持するフランジ付容器の一例を示す断面図である。
【発明を実施するための形態】
【００１５】
以下、本発明に係るフランジ付容器の保持具を実施するための形態を図面を参照して詳細に説明する。
図１乃至図３は本発明に係るフランジ付容器の保持具の実施の形態の第１例を示すもので、図１は本発明に係るフランジ付容器の保持具の第１例を示す平面図、図２は第１例のフランジ付容器の保持具でフランジ付容器を保持した状態を示す斜視図、図３は第１例のＸ−Ｘ線断面図である。
【００１６】
本例のフランジ付容器の保持具１は、図８にその一例を示す容器２を保持する。この容器２は、容器本体３の開口部の上端外周に外向きにフランジ４を有し、容器本体３の開口部がアルミ箔等の如きシール部材５の接着、巻き締め等で密封されており、シール部材５には開封を容易にするために舌片状の摘み片５ａが延設されている。
【００１７】
前記保持具１は、厚紙、合成樹脂、その組み合わせの積層体等の可撓性と保形剛性とを具備する板状材料で形成する。
厚紙とは、一般的な製造方法で得られた単層、或いは多層の紙を用いることができる。厚紙の製造方法は、特に限定されるものではないが、木材パルプ（化学パルプ、機械パルプ）、非木材パルプ、古紙パルプ等と、必要に応じて添加した填料やその他薬品等を水に分散した紙料を抄紙機のワイヤー上に噴射し、ワイヤーパートで脱水、ドライヤーパートで乾燥して製造する。また、必要に応じて紙に強度や耐水性を付与するためにＰＶＡ、デンプン、表面サイズ剤等の薬品を単独又は２種類以上組み合わせてサイズプレス等で紙表面を処理することや、紙の凹凸を整えるカレンダー処理を施すことも可能である。
【００１８】
また、合成樹脂とは、ポリエチレン、ポリプロピレン、ポリメチルペンテン等のポリオレフィン系樹脂、ポリエチレンテレフタレート、ポリブチレンテレフタレート、ポリシクロヘキシレンジメチレンテレフタレート等の飽和ポリエステル系樹脂、ナイロン等のポリアミド樹脂、エチレン・ビニルアルコール共重合体、ポリスチレン樹脂、ポリカーボネート樹脂、ポリアクリロニトリル樹脂、塩化ビニール等を例示することができ、これらを単独或いは２種類以上（紙を含む）を組み合わせて使用することができるが、これらに限定されるものではない。
【００１９】
このような板状材料で形成された本例のフランジ付容器の保持具１は、隣接して整列配置された複数の容器群の全頂面を覆いうる頂板部６と、頂板部６の周縁に折り曲げ線７ａ、７ｂ、７ｃ，７ｄを介して下方に折り曲げ可能に連設された側板部８ａ、８ｂ、８ｃ，８ｄとからなる。
本例では、頂板部６は２列に整列配置した４個の容器２を保持するものとして設定され、四角形状（正方形）に形成され、その大きさは、各辺、即ち、周縁に折り曲げ線７ａ、７ｂ、７ｃ，７ｄが、前記配置した容器２のフランジ４の一部を横切る大きさに設定されている。
【００２０】
そして、頂板部６と側板部８ａ、８ｂ、８ｃ，８ｄとの接続部位には、折り曲げ線７ａ、７ｂ、７ｃ，７ｄに沿って、前記配置した容器２のフランジ４の一部を嵌合する嵌合部９ａ、９ｂ，９ｃ，９ｄがスリット１０により形成されている。この嵌合部９ａ、９ｂ，９ｃ，９ｄへの容器２のフランジ４の嵌合は、図２に示すように、側板部８ａ、８ｂ、８ｃ，８ｄを折り曲げ線７ａ、７ｂ、７ｃ，７ｄから下方へ折り曲げることにより嵌合し且つ、嵌合状態を保持するようになっている。
【００２１】
また、頂板部６の中央寄りには、前記配置した４個の容器２のうち、隣接する２個の容器２のフランジ４にそれぞれ対応する位置に、下方に折り込まれてそれぞれ隣接する２個の容器２のフランジ４の下面に掛止する一対の折込掛止片１１が連結部１２を残してスリット１３、１４により区画されて対向して形成されている。
前記折込掛止片１１は、連結部１２から左右に延びる片を有する略矩形状に形成され、折込掛止片１１を連結部１２から下方へ折り込んだとき、容器２のフランジ４の下面と対向する連結部１２の左右側に位置する対向辺１５の外側端部に、隣接する２個の容器２のフランジ４の下面に掛止する突状の掛止部１６がそれぞれ１個宛設けられている。
本例では、図３に示すように、折込掛止片１１の左右の対向辺１５が、折込掛止片１１を下方に押し込んだときに、容器２のフランジ４の下面との間に隙間Ｓが空くように左右端部に向かって傾斜しており、この傾斜する左右の対向辺１５の外側端部に掛止部１６がフランジ４の下面に向かって突出するように設けられている。
【００２２】
この掛止部１６は略円弧状の突状からなっており、掛止部１６における円弧のＲは、０．３ｍｍ〜５．０ｍｍが好ましい。０．３ｍｍより小さいと掛止部１６の掛止強度が低下してしまい、５．０ｍｍより大きいと容器２のフランジ４の下面に押し込む際の接触抵抗が大きくなり好ましくない。本例では掛止部１６における円弧のＲは１．０ｍｍとなっている。
【００２３】
なお、本例では、頂板部６は２列に整列配置した４個の容器２を保持するものとして設定されているが、図４に示すように、２列に整列配置した６個の容器２を保持するように構成することもでき、さらに、それ以上の容器２を保持する構成にすることも可能である。
【００２４】
以上のように構成した本例のフランジ付容器の保持具１によれば、折込掛止片１１は、折込時に容器のフランジ４の下面と対向する連結部１２の左右の対向辺１４に、隣接する容器２のフランジ４の下面に掛止する突状の掛止部１６をそれぞれ１個宛有しているので、容器２を保持するために折込掛止片１１を下方に押して折り込んだときの掛止部１６とフランジ４の下面との接触面積が小さく、そのため摩擦抵抗も小さいことから、折込掛止片１１を押し込む時に過分な力を要しない。また、保持されている容器２の取り外しも容易に行える。
【００２５】
また、掛止部１６とフランジ４の下面との接触面積が小さいので、掛止部１６をフランジ４の下面に掛止させたとき、掛止部１６がフランジの下面に食い込む作用が働き、図８に示すように、容器２の開口部をシールするシール部材５に延設された摘み片５ａがあり、この摘み片５ａが掛止部１６を掛止させる位置に存在していたとしても、摘み片５ａ上に掛止した掛止部１６が不完全であっても、摘み片５ａの弾性で折込掛止片１１が押し戻され、フランジ４の下面から外れてしまうことはない。
【００２６】
本例では、掛止部１６が略円弧状であるのでフランジの下面との接触は点接触となり、摩擦抵抗もより小さいことから、折込掛止片１１の押し込みを一層容易に行うことができ、また、保持されている容器の取り外しも一層容易に行うことができ、また、掛止部１６がフランジ４の下面に食い込む作用が大きく、摘み片上５ａに掛止した掛止部１６の掛止が不完全であっても、容器２の一層確実な保持が図れる。
【００２７】
また、本例では、折込掛止片１１の左右の対向辺１５が、折込掛止片１１を下方に押し込んだときに、容器２のフランジ４の下面との間に隙間Ｓが空くように左右端部に向かって傾斜しており、この傾斜する左右の対向辺１５の外側端部に掛止部１６がフランジ４の下面に向かって突出するように設けられているので、容器２を保持するために折込掛止片１１を下方に押して折り込んだときに掛止部１６を、容器２のフランジ４の最内周側まで移動させてフランジ４に掛止させることができることになり、容器の確実な保持が図れる。
【００２８】
図５は本発明に係るフランジ付容器の保持具を実施するための形態の参考例を示す要部平面図、図６は参考例のフランジ付容器の保持具でフランジ付容器を保持した状態を示す断面図である。
参考例では、折込掛止片１１の左右の対向辺１５に有する突状の掛止部１６にあっては、対向辺１５を円弧状に形成することにより掛止部１６としている。この円弧状に形成された対向辺１５よりなる掛止部１６の円弧のＲは５．０ｍｍとなっている。その他の構成は前記の第１例と同様である。
【００２９】
図７は本発明に係るフランジ付容器の保持具を実施するための形態の第２例を示す要部平面図である。
第２例では、第１例と同様、折込掛止片１１の左右の対向辺１５が、折込掛止片１１を下方に押し込んだときに、容器２のフランジ４の下面との間に隙間Ｓが空くように左右端部に向かって傾斜しており、この傾斜する左右の対向辺１５の外側端部に掛止部１６がフランジ４の下面に向かって突出するように設けられている。第１例との相違は、この掛止部１６における円弧のＲが０．３ｍｍとなっている点だけであり、その他の構成は前記の第１例と同様である。
以上のように構成した本例のフランジ付容器の保持具１によれば、第１実施例と同様な効果を得ることができる。
【符号の説明】
【００３０】
１  フランジ付容器の保持具
２  容器
３  容器本体
４  フランジ
５  シール部材
５ａ  摘み片  
６  頂板部
７ａ、７ｂ、７ｃ，７ｄ  折り曲げ線
８ａ、８ｂ、８ｃ，８ｄ  側板部
９ａ、９ｂ，９ｃ，９ｄ  嵌合部
１０  スリット
１１  折込掛止片
１２  連結部
１３、１４  スリット
１５  対向辺
１６  掛止部
Ｓ  隙間
【図１】
0005794808.tif 000002
【図２】
0005794808.tif 000003
【図３】
0005794808.tif 000004
【図４】
0005794808.tif 000005
【図５】
0005794808.tif 000006
【図６】
0005794808.tif 000007
【図７】
0005794808.tif 000008
【図８】
0005794808.tif 000009